(57)【特許請求の範囲】
【請求項１】
ストレーナのスクリーンの軸方向に沿って該スクリーン内に挿入自在な本体と、
前記本体に設けられ、前記スクリーンに係止自在な係止部材と、
前記本体内に収納される圧力吸収体とを有し、
少なくとも前記本体の両端面には本体内に通ずる開口部が形成され、
前記圧力吸収体は、前記本体の長手方向に沿って整列して本体内に保持されていることを特徴とする、水撃防止装置。
【請求項２】
前記本体の側周面には、本体内に通ずる他の開口部が形成されていることを特徴とする、請求項１に記載の水撃防止装置。
【請求項３】
前記係止部材は、本体から略放射状に延出して、スクリーンに付勢して当接する構造を有していることを特徴とする、請求項１又は２に記載の水撃防止装置。
【発明の詳細な説明】
【０００１】
【発明の属する技術分野】
本発明は水撃防止装置に係り、特にＹ形ストレーナ等のスクリーン内に挿入して配管内の水撃や音圧を吸収し、その伝搬、拡散を低減する装置に関するものである。
【０００２】
【従来の技術】
水撃とは、例えば管内を充満して流れている水の速度が急激に変化した際に発生する圧力の変化が原因の衝撃である。水撃が発生すると、配管系や当該配管系に接続されている各種機器に損傷が生ずるおそれがある。そのため、従来から例えば収縮性のある空気室をクッションとして前記圧力を吸収する目的で、例えばゴムボールを直接ストレーナのスクリーン内に挿入することが行われている。このように圧力吸収体としてゴムボールを使用することで簡易に水撃対策を行え、便利であった。
【０００３】
【発明が解決しようとする課題】
しかしながら、そのようにゴムボールを単に直接スクリーン内に挿入していると、スクリーン内でのゴムボールの移動範囲が広く、任意の方向へと移動できる。そのためストレーナ内の水流によりボールがスクリーンの内壁に衝突したり、該内壁と接触したまま長い距離を移動するので、表面の摩耗が大きく、耐久性に問題があった。特にスクリーンの周面がメッシュで構成されている場合には、摩耗が激しかった。またスクリーン内に挿入するゴムボールの大きさ、数等によって性能的にばらつきがあり、所期の水撃防止効果が得られないこともあった。
【０００４】
本発明は、かかる点に鑑みてなされたものであり、前記したようなゴムボールを始めとする圧力吸収体を用いて水撃及び音圧発生（以下、単に水撃という）の際の圧力吸収を行いつつ、さらに耐久性を向上させると共に、性能的にばらつきのない新規な水撃防止装置を提供して、前記問題の解決を図ることをその目的としている。
【０００５】
【課題を解決するための手段】
前記目的を達成するため、請求項１によれば、ストレーナのスクリーンの軸方向に沿って該スクリーン内に挿入自在な本体と、前記本体に設けられ、前記スクリーンに係止自在な係止部材と、前記本体内に収納される圧力吸収体とを有し、少なくとも前記本体の両端面には本体内に通ずる開口部が形成され、前記圧力吸収体は、前記本体の長手方向に沿って整列して本体内に保持されていることを特徴とする、水撃防止装置が提供される。
【０００６】
かかる構成の水撃防止装置によれば、例えば圧力吸収体としてゴムボールを用いた場合、当該ゴムボールは、本体内に収納保持されているので、ストレーナ内の水流によって移動することはなく、かつ本体内の両端面には、開口部が形成されているので、圧力を受けた場合には本体の軸方向に沿って収縮して圧力を吸収することができる。また係止部材によって本体自体はスクリーン内に係止されているので、本体自体が移動することはなく、好適に圧力を吸収することができる。また本体の大きさ、収納保持する圧力吸収体の数、大きさを設定することで水撃防止性能の均一化が図れる。なお本発明で対象としているストレーナは、後述の実施の形態で示したＹ形ストレーナのみならず、Ｕ形ストレーナ、Ｗ形ストレーナも含むものである。
【０００７】
この場合、請求項２のように、前記本体の側周面に、本体内に通ずる他の開口部が形成すれば、側周面からも圧力が伝わり、圧力や音の吸収効率が向上する。開口部を形成するには、例えば筒状の本体の周面に窓を形成するようにしてもよいが、後述の実施の形態のように、本体自体を、丸棒やシャフトのようなものを筒状に配置して構成し、適宜間隔の下で周方向に環状の部材を配置して、全体として略格子状に構成すれば、容易に実現でき、しかも強度的に優れた本体を構成することができる。
【０００８】
係止部材としては、本体をスクリーン内に係止できるものであれば、特に限定されないが、例えば請求項３に記載したように、本体から略放射状に延出して、スクリーンに付勢して当接する構造を有する係止部材を使用すれば、本体をスクリーン内の軸心上に係止させることが容易であり、しかもスクリーンへの係止による取り付けや取り外しが容易である。
【０００９】
【発明の実施の形態】
以下、図面に基づいて本発明の好ましい実施の形態について説明する。図１は、本実施の形態にかかる水撃防止装置１の本体２の側面の一部断面、図２は正面、図３は外観を各々示しており、これら各図からわかるように、本体２は、両端に位置する短筒状のエンドリング３、４間に、丸棒等の複数のフレーム材５が略円筒状に配置して固定されてその主要部が構成され、さらにその外周に例えば管材を輪切りするなどして得た補強リング６が、適宜間隔で配置、固定された構成を有している。
【００１０】
エンドリング３には、直径上に対向する２つの孔３ａ、３ｂが形成されている。またエンドリング４には、押え板４ａが直径上に渡されている。そしてエンドリング３の外周には、棒材を適宜折曲して構成した係止部材７が中心角９０゜おきに計４カ所、放射状に取り付けられている。また同様に、エンドリング４の外周にも、棒材を適宜折曲して構成した係止部材８が中心角９０゜おきに計４カ所、放射状に取り付けられている。
【００１１】
各係止部材７、８は同一構成であるので、エンドリング３側の係止部材について説明すると、この係止部材７は、所定長さの金属製の棒材を両端部近傍で各々鈍角に折曲され、中央部近傍で鋭角に折曲されて、計３カ所で折曲されることによって、基部７ａ、弾性部７ｂ、係止部７ｃが創出された構造を有している。そしてこの係止部材７は、先端の係止部７ｃを外方に向けた状態で、基部７ａをエンドリング３の外周に例えば溶接して、エンドリング３の外周から径方向に放射状に固定されている。係止部材８についても同様に、係止部８ｃを外方に向けるようにして、エンドリング４の外周に放射状に取り付けられている。
【００１２】
前記構成になる本体２内には、収縮復元可能な圧力吸収体として、軟式テニス用のゴムボール１１が４個挿入保持されている。このゴムボール１１の外径は、本体２の内径よりも大きい径を有しており、エンドリング３側から順に本体２の長手方向に沿ってエンドリング４側に押し込んで挿入することによって、これら４個のゴムボール１１は、本体２内に収納保持されている。
【００１３】
そのようにして４個のゴムボール１１を本体２内に収納保持した後、エンドリング３の孔３ａ、３ｂ間に押さえボルト１２を挿通して端部にナット１３を螺着して、ボルト１２はエンドリング３に締付固定されている。これによってゴムボール１１は、本体２内から脱落せず、また本体２の両端面には、結果的に各々開口部Ｘが形成されることになる。さらに本体２の周面には、格子状に配置されたフレーム材５と補強リング６とによって、結果的に開口部Ｙが形成されている。
【００１４】
本実施の形態にかかる水撃防止装置１は以上のように構成されており、次にその使用例について説明する。この水撃防止装置１は、例えば図５に示したＹ形ストレーナ２１のスクリーン内に係止して使用する。このＹ形ストレーナ２１は、管２２の入口２３、出口２４との間に４５゜の傾きを持ったスクリーン収納部２５が設けられており、スクリーン収納部２５内には、例えばメッシュやパンチングメタルで構成された筒状のスクリーン２６が収納されている。このスクリーン収納部２５の端部には、取り付け取り外し自在な蓋体２７が設けられている。そして水流は、図５中の矢印に示したように流れ、水流中の土砂、金属くず、その他のきょう雑物は、スクリーン２６で捕集、ろ過されるのである。
【００１５】
水撃防止装置１は、図６に示したように、前記スクリーン２６内に係止される。すなわち、係止部材７、８の係止部７ｃ、８ｃをスクリーン２６の両端部内周にに係止することで、スクリーン２６にセットされる。このとき係止部材７、８は本体２の外周から放射状に延出しているので、水撃防止装置１はスクリーン２６の軸心上に配置される。また係止部材７、８は、弾性部７ｂ、８ｂを有しているから、前記係止は弾性を持って係止されている。
【００１６】
以上のようにスクリーン２６内にセットされた水撃防止装置によれば、スクリーン２６内に水流が勢いよく流れても、ゴムボール１１は、本体２内に収納保持されているから移動せず、スクリーン２６の内周に接することはない。したがって、表面が摩耗によって損傷することが防止され、従来よりも耐久性が大幅に向上している。また本体端部には、押え板４ａ、ボルト１３が渡されているから、もちろんゴムボール１１が本体２から脱落することはない。
【００１７】
そして水撃の原因となる急激な圧力変動があった場合には、ゴムボール１１が当該圧力変動を吸収し、水撃を防止することができる。かかる場合、本体２の側周面にも開口部Ｙが形成されているから、ゴムボール１１に圧力が伝わりやすく、効率よく圧力変動を吸収して、水撃やそれに伴う衝撃音の発生を防止することができる。もちろんゴムボール１１は本体２から離脱してスクリーン２６に接触することはない。
【００１８】
しかも本体２内には、所定の大きさ、所定の数のゴムボール１１が配置され、さらに本体２は、スクリーン２６内の軸心上に配置されているから、水撃防止装置１の性能は定まっている。したがって、どのタイプのストレーナに使用しても、所期の水撃防止効果が得られ、水撃防止装置１の性能は均一化されている。
【００１９】
その他、スクリーン２６への取り付けも容易であり、ゴムボール１１の点検、交換等についても簡単にこれをなし得る。すなわち、Ｙ形ストレーナ２１の蓋体２７を取り外してスクリーン２６を取り出し、係止部材７、８の弾性部７ｂ、無８ｂを手で押さえるなどして、係止部７ｃ、８ｃの係止を解除すれば、そのまま水撃防止装置１をスクリーン２６から取り出すことができる。そしてボルト１３を取り外せば、後は本体２の長手方向に沿ってゴムボール１１を本体２から引き出すことができるのである。
【００２０】
なお前記実施の形態においては、本体２のエンドリング３側には、開口部Ｘの形成とゴムボール１１の脱落防止を兼ねた押さえ板４ａを設けてあったが、これに代えてエンドリング３側と同様、ボルト１３等によってかかる機能を発揮させるようにしてもよい。そうすれば、本体２の双方向からゴムボール１１の挿入、取り出しが行える。
【００２１】
また前記実施の形態においては、圧力吸収体として軟式テニス用のゴムボール１１を使用したが、これに代えて例えば子供の玩具として入手容易なビニールボールを使用しても、同等の効果が得られる。また球体に限らず、他の形態の圧力吸収体を用いることも可能である。例えば、弾性を有し変形可能で空気が封入され収縮性のあるものも圧力吸収体として使用できる。その他、例えばビニールホースを輪切りにして両端開口部を閉鎖した形態のものも、本発明の圧力吸収体として使用できる。
【００２２】
さらに前記実施の形態においては、ゴムボール１１は本体２内にその長手方向に沿って１列に収納保持されていたが、もちろん本体２や圧力吸収体としてのゴムボール１１の大きさを変えるなどして本体２内に複数列にこれら圧力吸収体を収納保持させてもよい。かかるようにすれば、水撃防止性能を任意に設定することができ、環境、条件等に応じて使い分けて、効率のよい水撃防止対策が容易に施せるものである。
【００２３】
さらにまた本体２の構成についても、スクリーン２６と同様メッシュやパンチングメタルで構成してもよいが、特に前記実施の形態のように、本体２の軸方向に沿って開口部が形成されているような形態とすれば、圧力吸収体の挿入、取り出しが容易になる利点がある。
【００２４】
【発明の効果】
請求項１〜３の水撃防止装置によれば、圧力吸収体の表面の摩耗を従来より飛躍的に少なくすることができるので、耐久性が大幅に向上している。しかも性能的にばらつきがない。特に請求項２の水撃防止装置では、水撃や衝撃音の原因となる圧力の吸収をより効率よく行える。さらに請求項３の水撃防止装置によれば、本体をスクリーン内の軸心上に係止させることが容易であり、しかもスクリーンへの係止による取り付けや取り外しが容易である。
【図面の簡単な説明】
【図１】本発明の実施の形態にかかる水撃防止装置における本体の一部断面側面図である。
【図２】図１の本体の正面図である。
【図３】図１の本体の斜視図である。
【図４】本発明の実施の形態にかかる水撃防止装置の斜視図である。
【図５】図４の水撃防止装置が使用されるＹ形ストレーナの縦断面図である。
【図６】図５のＹ形ストレーナのスクリーンに図４の水撃防止装置を取り付けた状態を示す斜視図である。
【符号の説明】
１    水撃防止装置
２    本体
３、４    エンドリング
５    フレーム材
６    補強リング
７、８    係止部材
７ｂ、８ｂ    弾性部
７ｃ、８ｃ    係止部
１１    ゴムボール
２１    Ｙ形ストレーナ
２６    スクリーン
Ｘ、Ｙ    開口部
【図１】
0004191300.tif 000002
【図２】
0004191300.tif 000003
【図３】
0004191300.tif 000004
【図４】
0004191300.tif 000005
【図５】
0004191300.tif 000006
【図６】
0004191300.tif 000007